(57)【要約】      （修正有）【課題】自身が選択した様々な種類のコンテンツを参加している複数のチャットルームに一度に伝達することができる、メッセンジャーチャットウィンドウを介したコンテンツ多重送信装置、方法およびコンピュータ読み取り可能な記録媒体を提供する。【解決手段】チャットウィンドウの生成要請に応じてチャットウィンドウを生成し、前記チャットウィンドウを介して入力されたメッセージを送受信処理するメッセンジャー処理モジュールと、ユーザ端末２２０の多重送信要請に応じて、前記ユーザ端末２２０のユーザが参加した複数のチャットルームのうちから選択された少なくとも１つ以上のチャットルーム内に参加した他構成員の各ユーザ端末２４０に、前記ユーザ端末２２０で選択されたコンテンツを多重送信処理する多重送信モジュールと、を含む。【選択図】図２
2014146332.tif 000002
【特許請求の範囲】
【請求項１】
チャットウィンドウの生成要請に応じてチャットウィンドウを生成し、前記チャットウィンドウを介して入力されたメッセージを送受信処理するメッセンジャー処理モジュールと、
ユーザ端末の多重送信要請に応じて、前記ユーザ端末のユーザが参加した複数のチャットルームのうちから選択された少なくとも１つ以上のチャットルーム内に参加した他構成員の各ユーザ端末に、前記ユーザ端末で選択されたコンテンツを多重送信処理する多重送信モジュールと、を含む、メッセンジャーサーバ。
【請求項２】
前記多重送信モジュールは、
前記多重送信要請に応じて、前記ユーザ端末のユーザが参加した複数のチャットルームの全てに、前記コンテンツを多重送信処理する、請求項１に記載のメッセンジャーサーバ。
【請求項３】
前記多重送信モジュールは、
前記コンテンツが多重送信されたことを認識できるタグを挿入するタグ挿入部をさらに含む、請求項１に記載のメッセンジャーサーバ。
【請求項４】
前記多重送信モジュールは、
前記コンテンツに対して特定チャットウィンドウ内にフィードバック情報が発生する場合、前記フィードバック情報を統合してデータベースに格納するフィードバック処理部をさらに含む、請求項１に記載のメッセンジャーサーバ。
【請求項５】
前記フィードバック情報は、
前記コンテンツに対する返信情報または評価情報を含む、請求項４に記載のメッセンジャーサーバ。
【請求項６】
前記多重送信モジュールは、
前記コンテンツに対する各ユーザの閲覧有無を確認し、前記閲覧と関連した統計情報を生成する統計処理部をさらに含む、請求項１に記載のメッセンジャーサーバ。
【請求項７】
前記多重送信モジュールは、
前記コンテンツが予め設定された数以上のチャットルームまたはユーザに多重送信される場合、予め設定された金額だけ課金できるように処理する課金処理部をさらに含む、請求項１に記載のメッセンジャーサーバ。
【請求項８】
前記コンテンツは、
テキスト、イメージ、動画、リアルタイム放送映像のうちから選択されたいずれか１つである、請求項１に記載のメッセンジャーサーバ。
【請求項９】
メッセンジャーチャットウィンドウを介したコンテンツ多重送信方法であって、メッセンジャーサーバにおいて行われる各ステップが、
チャットウィンドウの生成要請に応じてチャットウィンドウを生成し、前記チャットウィンドウを介して入力されたメッセージを送受信処理するステップと、
ユーザ端末からの多重送信要請に応じて、前記ユーザ端末から多重送信するコンテンツの選択を受けるステップと、
前記ユーザ端末のユーザが参加した複数のチャットルームのうちから選択された少なくとも１つ以上のチャットルーム内に参加した他構成員の各ユーザ端末に、前記コンテンツを多重送信処理するステップと、を含む、メッセンジャーチャットウィンドウを介したコンテンツ多重送信方法。
【請求項１０】
前記多重送信処理するステップは、
前記多重送信要請に応じて、前記ユーザ端末のユーザが参加した複数のチャットルームの全てに、前記コンテンツを多重送信処理する、請求項９に記載のメッセンジャーチャットウィンドウを介したコンテンツ多重送信方法。
【請求項１１】
前記多重送信処理するステップは、
前記コンテンツに多重送信されたことを認識できるタグを挿入するステップをさらに含む、請求項９に記載のメッセンジャーチャットウィンドウを介したコンテンツ多重送信方法。
【請求項１２】
前記コンテンツに対して特定チャットウィンドウ内にフィードバック情報が発生する場合、前記フィードバック情報を統合してデータベースに格納するステップをさらに含む、請求項９に記載のメッセンジャーチャットウィンドウを介したコンテンツ多重送信方法。
【請求項１３】
前記フィードバック情報は、
前記コンテンツに対する返信情報または評価情報を含む、請求項１２に記載のメッセンジャーチャットウィンドウを介したコンテンツ多重送信方法。
【請求項１４】
前記コンテンツに対する各ユーザの閲覧有無を確認し、前記閲覧と関連した統計情報を生成するステップをさらに含む、請求項９に記載のメッセンジャーチャットウィンドウを介したコンテンツ多重送信方法。
【請求項１５】
前記コンテンツが予め設定された数以上のチャットルームまたはユーザに多重送信される場合、予め設定された金額だけ課金できるように処理するステップをさらに含む、請求項９に記載のメッセンジャーチャットウィンドウを介したコンテンツ多重送信方法。
【請求項１６】
前記コンテンツは、
テキスト、イメージ、動画、リアルタイム放送映像のうちから選択されたいずれか１つである、請求項９に記載のメッセンジャーチャットウィンドウを介したコンテンツ多重送信方法。
【請求項１７】
請求項９〜１６のいずれか１項に記載の方法を実行するためのプログラムが記録されていることを特徴とするコンピュータ読み取り可能な記録媒体。
【発明の詳細な説明】
【技術分野】
【０００１】
本発明は、メッセンジャーサービスに関し、より詳しくは、複数のメッセンジャーチャットウィンドウを介し、ユーザが選択したコンテンツを多重送信処理するためのメッセンジャーチャットウィンドウを介したコンテンツ多重送信装置、方法およびコンピュータ読み取り可能な記録媒体に関する。
【背景技術】
【０００２】
一般的なインターネットは、世界中のどこでも、誰でも、接続しようとする相手のコンピュータに、ＴＣＰ／ＩＰという共通のプロトコルを適用して自由に接続し、使用できるように構成された開放型ネットワークである。ユーザは、インターネットを介した基本的な文字情報の伝達はもちろん、データ圧縮技術の発展に伴い、マルチメディア情報の伝達に利用されている電子メール、ファイル送信、ＷＷＷ（Ｗｏｒｌｄ  Ｗｉｄｅ  Ｗｅｂ）などの様々なサービスを利用することができる。
【０００３】
このように、国内を始め、世界的のインターネット使用の急激な増加に伴い、既存産業の全分野にわたって、効率性及び生産性の向上のための戦略的な道具としてインターネットの重要性が急速に増大している。それに伴い、インターネットを用いた新しいビジネスの機会も持続的に創出されているだけでなく、その領域も拡張されている傾向にある。これにより、インターネットを用いた事業者も益々増加している。
【０００４】
最近、各種コミュニケーションを必要とするユーザがホームページ、電子メール、電話ＡＲＳ（Ａｕｔｏ  Ｒｅｓｐｏｎｓｅ  Ｓｅｒｖｉｃｅ；自動応答サービス）などを利用してコミュニケーションを行っているが、ホームページや電子メールは顧客とのコミュニケーションにおいてリアルタイム性が劣るという短所がある。それに比べ、電話ＡＲＳは、リアルタイム性には優れるという長所があるが、ユーザにとって通信費用の負担が大きいという短所がある。
【０００５】
一方、インターネットを利用してリアルタイムで情報を伝達するための有用な方法として、インスタントメッセンジャー（Ｉｎｓｔａｎｔ  Ｍｅｓｓｅｎｇｅｒ）（以下、「メッセンジャー」と言う）がある。メッセンジャーは、ユーザが互いに簡単なメッセージをリアルタイムで伝達することを目的とする。前記メッセンジャーを利用することにより、二人のユーザがまるで直接話し合っているように伝達される文字により、リアルタイムでコミュニケーションをとることができる。これは、メッセージのリアルタイム性を重要視するメッセンジャーが、入力された内容を直ちに伝達するためである。
【０００６】
このようなメッセンジャークライアントプログラムの機能としては、単純にメッセージを伝達する機能だけでなく、メッセンジャーチャットウィンドウを介してエモーティコン（ｅｍｏｔｉｃｏｎ）、フラッシュコン（ｆｌａｓｈｃｏｎ）、ギフトコン（ｇｉfｔｃｏｎ）などをチャットの相手に送信したり、チャットウィンドウを介してファイルを送信したりする機能もある。
【０００７】
また、１：１チャットだけでなく、多数の人が１つのチャットウィンドウを介して一緒にチャットできるグループチャット機能もある。グループチャットを行うためには、ユーザがメッセンジャークライアントプログラムで複数のチャット相手を選択して、彼らにチャットを要請することによりグループチャットウィンドウを生成したり、生成されているチャットウィンドウにチャット相手を追加しなければならない。
【０００８】
一方、最近では、メッセンジャーサービスが単純なチャット機能を超えて様々な形態の拡張されたサービスを提供している。
【０００９】
例えば、グループチャットルームを生成するための方法に関する技術として、大韓民国公開特許公報第２０１０−００９５２０５号「チャット提供システム（（株）Ｔｈｉｎｋｐｏｏｌ）」（文献１）には、株式取引システムと連動できるチャットシステムとして、ユーザからのチャットルームの開設要請がなくても、少なくとも１つの種目の各々に対する株式の種目別のチャットルームを自動で開設できるようにする構成が開示されている。また、大韓民国公開特許公報第２００９−０１３１４９３号「インターネットを用いたリアルタイム検索語によるチャットルーム提供方法（チェ・ミンホ）」（文献２）には、同一検索語を入力したユーザが存在する場合、当該ユーザ間にチャットルームを形成して、類似の利用者間にチャットウィンドウを提供できるようにする構成が開示されている。
【００１０】
さらに、大韓民国公開特許公報第２００３−００２２４６２号「電子メール送信を基盤にしたチャット方法（パク・ボンレ）」（文献３）と大韓民国公開特許公報第２００３−００７２８４４号「電子メールを基盤にしたチャット参加誘導方法（パク・ボンレ）」（文献４）には、電子メールを利用して、チャットを望む相手に電子メールを送信し、電子メールを受信した相手が受信された電子メールを利用して、電子メールを送信したユーザと受信したユーザとの間にチャットサービスを提供できるようにする構成が開示されている。
【００１１】
また、最近では、メッセンジャーチャットウィンドウを介して外部サービスと連動したサービスを提供する方法も提案されており、スマートフォンの活性化によりモバイルメッセンジャーの利用が急増している。
【００１２】
一方、このようなモバイルメッセンジャーを用いた、知人を対象にしたチャットによるコミュニケーションが活性化するにつれ、既存の知人を対象にした広報またはマーケティングの需要が高まっている。つまり、メッセンジャーを用いたコミュニケーションが活発になるにつれ、色々なチャットルームに分散している自身の知人に一度にメッセージを伝達する必要性が高まっている。
【００１３】
しかし、従来のチャットシステムの場合、自身が属した複数のチャットルームに個別にわざわざ訪問し、同一のメッセージを繰り返して入力または送信要請しなければならないという不便がある。
【００１４】
また、メッセージを送信したチャットルームをわざわざ訪問して、自身が伝達したメッセージに対するフィードバックを確認して答えなければならないという不便がある。さらに、直接撮影した動画を共有しようとする場合、撮影した映像をＶＯＤ（Ｖｉｄｅｏ  ｏｎ  ｄｅｍａｎｄ）形式などのファイルで一旦格納した後、各チャットルームにわざわざ伝達しなければならないという不便がある。
【００１５】
したがって、複数のチャットルームに一度にコンテンツを送信し、フィードバックを確認できる方法の必要性が求められている。
【先行技術文献】
【特許文献】
【００１６】
【特許文献１】韓国公開特許第２０１０−００９５２０５号公報
【特許文献２】韓国公開特許第２００９−０１３１４９３号公報
【特許文献３】韓国公開特許第２００３−００２２４６２号公報
【特許文献４】韓国公開特許第２００３−００７２８４４号公報
【発明の概要】
【発明が解決しようとする課題】
【００１７】
本発明の目的は、自身が選択した様々な種類のコンテンツを参加している複数のチャットルームに一度に伝達することができる、メッセンジャーチャットウィンドウを介したコンテンツ多重送信装置、方法およびコンピュータ読み取り可能な記録媒体を提供することにある。
【００１８】
また、本発明の目的は、自身が撮影した映像を複数のチャットルームに分散した知人にリアルタイムで便利に送信することができる、メッセンジャーチャットウィンドウを介したコンテンツ多重送信装置、方法およびコンピュータ読み取り可能な記録媒体を提供することにある。
【００１９】
なお、本発明の目的は、自身が選択した様々な種類のコンテンツを自身が参加している複数のチャットルームのうちから選択された少なくとも１つのチャットルームに一度に送信することができる、メッセンジャーチャットウィンドウを介したコンテンツ多重送信装置、方法およびコンピュータ読み取り可能な記録媒体を提供することにある。
【００２０】
さらに、本発明の目的は、自身が選択した様々な種類のコンテンツを参加している複数のチャットルームに一度に伝達し、各チャットルームからのフィードバックを統合して提供することができる、メッセンジャーチャットウィンドウを介したコンテンツ多重送信装置、方法およびコンピュータ読み取り可能な記録媒体を提供することにある。
【課題を解決するための手段】
【００２１】
上記の本発明の目的を果たし、後述する本発明の特有の効果を果たすための、本発明の特徴的な構成は下記の通りである。
【００２２】
本発明の一態様によれば、メッセンジャーサーバは、チャットウィンドウの生成要請に応じてチャットウィンドウを生成し、チャットウィンドウを介して入力されたメッセージを送受信処理するメッセンジャー処理モジュールと、ユーザ端末の多重送信要請に応じて、ユーザ端末のユーザが参加した複数のチャットルームのうちから選択された少なくとも１つ以上のチャットルーム内に参加した他構成員の各ユーザ端末に、ユーザ端末で選択されたコンテンツを多重送信処理する多重送信モジュールと、を含む。
【００２３】
好ましくは、多重送信モジュールは、多重送信要請に応じて、ユーザ端末のユーザが参加した複数のチャットルームの全てに、コンテンツを多重送信処理する。
【００２４】
好ましくは、多重送信モジュールは、コンテンツが多重送信されたことを認識できるタグを挿入するタグ挿入部をさらに含む。
【００２５】
好ましくは、多重送信モジュールは、コンテンツに対して特定チャットウィンドウ内にフィードバック情報が発生する場合、フィードバック情報を統合してデータベースに格納するフィードバック処理部をさらに含む。
【００２６】
好ましくは、フィードバック情報は、コンテンツに対する返信情報または評価情報を含む。
【００２７】
好ましくは、多重送信モジュールは、コンテンツに対する各ユーザの閲覧有無を確認し、閲覧と関連した統計情報を生成する統計処理部をさらに含む。
【００２８】
好ましくは、多重送信モジュールは、コンテンツが予め設定された数以上のチャットルームまたはユーザに多重送信される場合、予め設定された金額だけ課金できるように処理する課金処理部をさらに含む。
【００２９】
好ましくは、コンテンツは、テキスト、イメージ、動画、リアルタイム放送映像のうちから選択されたいずれか１つである。
【００３０】
本発明の他の態様によれば、メッセンジャーチャットウィンドウを介したコンテンツ多重送信方法であって、メッセンジャーサーバにおいて行われる各ステップが、チャットウィンドウの生成要請に応じてチャットウィンドウを生成し、チャットウィンドウを介して入力されたメッセージを送受信処理するステップと、ユーザ端末からの多重送信要請に応じて、ユーザ端末から多重送信するコンテンツの選択を受けるステップと、ユーザ端末のユーザが参加した複数のチャットルームのうちから選択された少なくとも１つ以上のチャットルーム内に参加した他構成員の各ユーザ端末に、コンテンツを多重送信処理するステップと、を含む。
【００３１】
好ましくは、多重送信処理するステップは、多重送信要請に応じて、ユーザ端末のユーザが参加した複数のチャットルームの全てに、コンテンツを多重送信処理する。
【００３２】
好ましくは、多重送信処理するステップは、コンテンツに多重送信されたことを認識できるタグを挿入するステップをさらに含む。
【００３３】
好ましくは、多重送信方法は、コンテンツに対して特定チャットウィンドウ内にフィードバック情報が発生する場合、フィードバック情報を統合してデータベースに格納するステップをさらに含む。
【００３４】
好ましくは、フィードバック情報は、コンテンツに対する返信情報または評価情報を含む。
【００３５】
好ましくは、多重送信方法は、コンテンツに対する各ユーザの閲覧有無を確認し、閲覧と関連した統計情報を生成するステップをさらに含む。
【００３６】
好ましくは、多重送信方法は、コンテンツが予め設定された数以上のチャットルームまたはユーザに多重送信される場合、予め設定された金額だけ課金できるように処理するステップをさらに含む。
【００３７】
好ましくは、コンテンツは、テキスト、イメージ、動画、リアルタイム放送映像のうちから選択されたいずれか１つである。
【００３８】
一方、メッセンジャーチャットウィンドウを介したコンテンツ多重送信方法の提供を受けるための情報は、サーバコンピュータによって読み取り可能な記録媒体に格納することができる。このような記録媒体は、コンピュータシステムによって実行されるようにプログラムおよびデータが格納される全ての種類の記録媒体を含む。その例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ（Ｃｏｍｐａｃｔ  Ｄｉｓｋ）、ＤＶＤ（Ｄｉｇｉｔａｌ  Ｖｉｄｅｏ  Ｄｉｓｋ）−ＲＯＭ、磁気テープ、フロッピーディスク（登録商標）、光データ格納装置などが挙げられ、また、搬送波（ｃａｒｒｉｒ  ｗａｖｅ）（例えば、インターネットを介した伝送）の形態に実施されるものも含まれる。また、このような記録媒体は、ネットワークに接続されたコンピュータシステムに分散され、分散方式でコンピュータ読み取り可能なコードが格納されて実行することができる。
【発明の効果】
【００３９】
上述したように、本発明によれば、アドレス帳や電子メールに存在する、知らないユーザを含む全てのユーザに配布する広報性メッセージとは異なり、チャットルームが開設され、既にチャットをしている、信用できる知人間の信頼性の高いネットワークを介して、活発なメッセージの伝達とそれを通じたコンテンツの推薦および広報が可能となるという長所がある。
【００４０】
また、本発明によれば、チャットルームを介して伝えられたメッセージや映像を見たユーザが、メッセージを有用であると考えた場合、自身が参加した他のチャットルームにリアルタイムで共有することにより、メッセージが知人間のネットワークを介して拡散される効果が極大化できるという長所がある。
【図面の簡単な説明】
【００４１】
【図１】本発明の実施形態によるメッセンジャーチャットウィンドウを介したコンテンツ多重送信システムの概念を示す図である。
【図２】本発明の実施形態によるメッセンジャーチャットウィンドウを介したコンテンツ多重送信システムを示す図である。
【図３】本発明の実施形態によるメッセンジャーサーバの細部構造を示すブロック図である。
【図４】本発明の実施形態によるメッセンジャーチャットウィンドウを介したコンテンツ多重送信の手順を示すフローチャートである。
【図５】本発明の実施形態によるメッセンジャーチャットウィンドウを介したコンテンツ多重送信例を示す図である。
【発明を実施するための形態】
【００４２】
後述する本発明についての詳細な説明は、本発明が実施できる実施形態を例示として示す添付図面を参照する。これらの実施形態は、当業者が本発明を十分に実施することができるように詳細に説明される。本発明の多様な実施形態は、互いに異なるが、排他的でないことが理解されるであろう。例えば、ここに記載されている特定の形状、構造及び特徴は、一実施形態に関連して本発明の思想及び範囲を外れることなく他の実施形態として実現することができる。また、それぞれの開示された実施形態内の個別構成要素の位置または配置は、本発明の思想及び範囲を外れることなく変更され得ることを理解するべきである。したがって、後述する詳細な説明は限定的な意味で扱うものでなく、本発明の範囲は、添付された請求の範囲とそれから理解されうる範囲と均等な範囲によってのみ限定される。図面において、同類の参照符号は、添付図面を通じても同一または類似の機能を示すものとして用いられる。
【００４３】
本発明は、複数のメッセンジャーチャットウィンドウを介し、ユーザが選択したコンテンツを多重送信処理するためのメッセンジャーチャットウィンドウを介したコンテンツ多重送信装置を開示する。このとき、一度に送信できるコンテンツはいかなる種類のコンテンツも可能である。例えば、本発明の実施形態により、テキストだけでなく、イメージ、動画、リアルタイム放送映像などの送信可能ないかなるコンテンツも一度に送信することができる。
【００４４】
また、本発明の実施形態により、コンテンツを多重送信しようとするユーザは自身が参加した複数の全てのチャットウィンドウに一度に送信するように処理することもでき、本発明の他の実施形態により、自身が参加した複数のチャットウィンドウのうち少なくとも１つのチャットウィンドウを選択し、選択されたチャットウィンドウにのみ多重送信処理することもできる。
【００４５】
また、本発明の実施形態により、チャットウィンドウに多重送信された後、当該チャットウィンドウに参加した他ユーザが、多重送信されたコンテンツを再び自身が参加した複数のチャットウィンドウに多重送信処理するように実現することもできる。このようにして、知人ネットワークを介したコンテンツの拡散が自然に行われることができる。
【００４６】
一方、後述する詳細な説明でのメッセンジャーサービスは一般的なデスクトップコンピュータ上で駆動されるメッセンジャーサービスを含み、モバイル端末で駆動されるモバイルメッセンジャーサービスにも本発明は同様に適用することができる。
【００４７】
また、後述する説明での「ユーザ端末」は、一般的なデスクトップコンピュータだけでなくスマートフォンを含む概念であり、移動通信端末、デスクトップコンピュータ、ノート型パソコン、ワークステーション、パームトップ（ｐａｌｍｔｏｐ）コンピュータ、個人携帯情報端末（ｐｅｒｓｏｎａｌ  ｄｉｇｉｔａｌ  ａｓｓｉｓｔａｎｔ：ＰＤＡ）、ウェブパッドなどのようにメモリ手段を備え、マイクロプロセッサを搭載して演算能力を備えたデジタル機器であれば、本発明によるユーザ端末として採用することができる。また、本発明での「ユーザ端末」は、カメラ機能が備えられたモバイル端末（例えば、スマートフォン）であることが好ましい。
【００４８】
以下、本発明が属する技術分野で通常の知識を有した者が本発明を容易に実施できるようにするために、本発明の好ましい実施形態について添付図面を参照して詳細に説明する。
【００４９】
［メッセンジャーチャットウィンドウを介したコンテンツ多重送信の概念］
図１は、本発明の実施形態によるメッセンジャーチャットウィンドウを介したコンテンツ多重送信システムの概念を示す図である。図１を参照すれば、先ず、ユーザＡは、複数のチャットウィンドウを介して多重送信しようとするコンテンツを選択する。このとき、コンテンツの種類は、上述したようにリアルタイム放送、イメージ、テキスト、動画などのいかなる種類のコンテンツであっても良い。
【００５０】
このように選択されたコンテンツは、ユーザＡが参加したｎ個のチャットルーム（例えば、チャットルームＡ、チャットルームＢ、．．．、チャットルームｎ）に一度に送信する。このとき、本発明の実施形態により、ｎ個のチャットルームのうちユーザが任意のｍ個のチャットルームを選択してコンテンツを多重送信することもできる。
【００５１】
これにより、ユーザＡが送信したコンテンツは、一度の送信要請で各チャットルームのチャットウィンドウに一度に表示され、個別のチャットルームにわざわざ訪問しなくても一度に同一のコンテンツを送信することができる。
【００５２】
一方、多重送信処理された各チャットルームに返信情報（リプライ）が掲載されたりフィードバックが発生したりする場合、多重送信処理したコンテンツを中心に各フィードバック情報を連結させることにより、各チャットルームに掲載されたフィードバック情報を統合して提供することができる。これにより、多重送信を要請したユーザが多重送信された各チャットルームにわざわざ訪問しなくてもフィードバック情報を一度に確認できるようになる。
【００５３】
以下、図２および図３を参照して本発明の実施形態によるシステムおよび装置の構造を説明し、次に、図４を参照して本発明の実施形態によるサービスの手順を詳細に説明する。
【００５４】
［メッセンジャーチャットウィンドウを介したコンテンツ多重送信システム］
図２は、本発明の実施形態によるメッセンジャーチャットウィンドウを介したコンテンツ多重送信システムを示す図である。図２を参照すれば、本発明の実施形態によるシステムは、メッセンジャーサーバ２１０、多重送信を要請するユーザ端末Ａ２２０、通信ネットワーク１２０、ユーザ端末Ａ２２０が参加した複数の各チャットルームに参加した複数のユーザ端末２４０（ユーザ端末Ｂ、ユーザ端末Ｃ、．．．、ユーザ端末ｎ）を含んで構成されることができる。
【００５５】
ユーザ端末Ａ２２０でメッセンジャーサーバ２１０に接続してログインし、チャットルームを開設したり、開設されたチャットルームに参加した後、図５に示すように、本発明の実施形態によってユーザ端末Ａ２２０が参加した複数のチャットルームに参加したユーザ端末２４０に、各種選択されたコンテンツをメッセンジャーサーバ２１０を介して多重送信処理することができる。
【００５６】
すなわち、ユーザ端末Ａ２２０に選択されたコンテンツは、通信ネットワーク１２０を介してメッセンジャーサーバ２１０に送信され、メッセンジャーサーバ２１０においては、ユーザ端末Ａ２２０のユーザが参加した複数のチャットルームに参加した他構成員のユーザ端末２４０に、選択されたコンテンツを多重送信する。これにより、ユーザ端末Ａ２２０が参加した複数のチャットルームと同一のチャットルーム内の他構成員のユーザ端末２４０は、チャットウィンドウを介してユーザ端末Ａ２２０によって多重送信されたコンテンツを確認することができる。
【００５７】
一方、本発明の一実施形態によるユーザ端末２２０，２４０は、ユーザが通信ネットワーク１２０を介してメッセンジャーサーバ２１０に接続してチャットルームを生成したり、生成されたチャットルームに入場し、チャットウィンドウを介してメッセージを入力または確認したりするための入出力機能を含み、スマートフォンを含む移動通信端末だけでなく、デスクトップコンピュータ、ノート型パソコン、ワークステーション、パームトップ（ｐａｌｍｔｏｐ）コンピュータ、個人携帯情報端末（ｐｅｒｓｏｎａｌ  ｄｉｇｉｔａｌ  ａｓｓｉｓｔａｎｔ：ＰＤＡ）、ウェブパッドなどのようにメモリ手段を備え、マイクロプロセッサを搭載して演算能力を備えたデジタル機器であれば、本発明によるユーザ端末２２０，２４０として採用することができる。
【００５８】
通信ネットワーク１２０は有線および無線などのような通信様態を問わずに構成されることができ、パーソナルエリアネットワーク（ＰＡＮ；Ｐｅｒｓｏｎａｌ  Ａｒｅａ  Ｎｅｔｗｏｒｋ）、ローカルエリアネットワーク（ＬＡＮ；Ｌｏｃａｌ  Ａｒｅａ  Ｎｅｔｗｏｒｋ）、メトロポリタンエリアネットワーク（ＭＡＮ；Ｍｅｔｒｏｐｏｌｉｔａｎ  Ａｒｅａ  Ｎｅｔｗｏｒｋ）、広域ネットワーク（ＷＡＮ；Ｗｉｄｅ  Ａｒｅａ  Ｎｅｔｗｏｒｋ）など、様々な通信網で構成されることができる。また、通信ネットワーク１２０は公知のワールドワイドウェブ（ＷＷＷ；Ｗｏｒｌｄ  Ｗｉｄｅ  Ｗｅｂ）であっても良く、赤外線（Ｉｎｆｒａｒｅｄ  Ｄａｔａ  Ａｓｓｏｃｉａｔｉｏｎ；ＩｒＤＡ）またはブルートゥース（Ｂｌｕｅｔｏｏｔｈ）（登録商標）のように短距離通信に用いられる無線送信技術を利用することもできる。
【００５９】
以下、図３を参照して前記メッセンジャーサーバ２１０の細部構成を説明する。
【００６０】
図３は、本発明の実施形態によるメッセンジャーサーバの細部構造を示すブロック図である。図３を参照すれば、メッセンジャーサーバ２１０は、基本的なメッセンジャー処理機能を行うメッセンジャー処理モジュール３１０、および本発明の実施形態において、選択されたコンテンツを複数のメッセンジャーチャットウィンドウに多重送信処理する機能を提供する多重送信モジュール３２０などを含んで構成されることができる。
【００６１】
このとき、メッセンジャー処理モジュール３１０は、ログイン処理部３１１、チャットウィンドウ生成部３１２、チャットルーム管理部３１３およびチャットメッセージ送信部３１４などを含んで構成されることができる。また、多重送信モジュール３２０は、送信対象選択部３２１、チャットルーム選択部３２２、多重送信処理部３２３、タグ挿入部３２４、フィードバック処理部３２５、統計処理部３２６および課金処理部３２７などを含んで構成されることができる。
【００６２】
一方、以下の説明ではメッセンジャーサービスの一般的な機能に関する説明および構成は省略し、本発明の特徴と関連したものを中心に説明する。また、メッセンジャーサーバ２１０のメッセンジャー処理モジュール３１０に含まれる細部機能部はその全部または一部がユーザ端末２２０，２４０に設置されるクライアントプログラムに含まれることができ、上記の細部機能部のうち一部機能がサーバとクライアントシステムによって互いに連動したり分散したりして処理されることもできる。
【００６３】
以下、各モジュールの細部機能を詳細に説明する。
先ず、メッセンジャー処理モジュール３１０のログイン処理部３１１は、各ユーザ端末２２０，２４０がメッセンジャーサーバ２１０に接続してログインを要請する場合、会員情報データベース３３０に格納された情報を参照してログイン処理を行い、上述した認証サーバと連動して認証を行うこともできる。
【００６４】
チャットウィンドウ生成部３１２は、ユーザ端末２２０，２４０でメッセンジャーサーバ２１０にログインした後、チャットルームを作り、チャットウィンドウの生成を要請すれば、その要請に応じてチャットウィンドウを生成する機能を有する。このとき、チャットウィンドウを介して入力されたチャット情報をチャット情報データベース３４０に格納することができる。
【００６５】
チャットルーム管理部３１３は、生成されたチャットルームを管理し、チャットルームと関連した情報および生成されたチャットルームに参加する複数の構成員に関する情報（例えば、チャットルームＩＤ、構成員ＩＤ、構成員情報など）を管理する機能を有する。各チャットルームに関する情報はチャットルーム情報データベース３５０に格納されることができる。
【００６６】
チャットメッセージ送信部３１４は、各ユーザ端末２２０，２４０からチャットウィンドウを介して入力されたチャットメッセージを受信して他のユーザ端末２２０，２４０に送信する機能を有する。チャットメッセージ送信部３１４を介して送信されるチャットメッセージはチャット情報データベース３４０に格納される。
【００６７】
以下、多重送信モジュール３２０の各構成部の機能を説明する。
先ず、送信対象選択部３２１は、多重送信処理しようとするユーザ端末Ａ２２０において、本発明の実施形態により追加されたメッセンジャーの多重送信機能を実行し、送信対象コンテンツを選択するように機能を提供する。
【００６８】
また、チャットルーム選択部３２２は、本発明の実施形態において、少なくとも１つ以上のチャットルームに対して選択的に多重送信する際に、その選択情報を入力する機能を提供する。このとき、本発明の実施形態において、ユーザが参加したチャットルーム全体を一括的に選択して多重送信処理をするように実現することもでき、また、本発明の他の実施形態において、ユーザが参加したチャットルーム全体のうち少なくとも１つのチャットルームを選択して多重送信処理をするように実現することもできる。
【００６９】
多重送信処理部３２３は、送信対象選択部３２１によって選択されたコンテンツをチャットルーム選択部３２２によって選択されたチャットルームに参加した他構成員のユーザ端末２４０に多重送信処理する機能を有する。
【００７０】
タグ挿入部３２４は、本発明の実施形態により、多重送信処理部３２３によって多重送信処理されたコンテンツが多重送信されたことを認識できるタグを挿入する。これにより、多重送信処理部３２３によって各ユーザ端末２４０に多重送信されたコンテンツは、ユーザ端末２４０のチャットウィンドウ内に表示されるとき、図５に示すように、他の入力コンテンツとは異なり、当該コンテンツが多重送信されたコンテンツであることをさらに表示することができる。
【００７１】
フィードバック処理部３２５は、多重送信処理部３２３を介して複数のチャットルームに多重送信処理されたコンテンツに対し、特定チャットウィンドウ内にフィードバック情報（例えば、当該コンテンツに対する返信情報、評価情報など）が発生する場合、これを総合してフィードバック情報データベース３６０に格納する。したがって、多重送信処理されたコンテンツには多重送信コンテンツの識別のための固有の識別番号が割り当てられることが好ましく、コンテンツに対するフィードバック情報が発生すれば、各フィードバック情報をコンテンツの識別のための固有の識別番号にマッピングして格納することによってフィードバック情報を多重送信コンテンツ別に管理することができる。
【００７２】
統計処理部３２６は、多重送信したコンテンツに対するフィードバック情報または閲覧情報を収集し、例えば、多重送信したコンテンツを何人が読んだか、どのようなチャット参加者が読んだか、いつ読んだか、などを確認できる統計資料を生成する機能を有し、生成された統計資料は統計情報データベース３７０に格納される。これにより、コンテンツを多重送信要請したユーザは多重送信されたコンテンツに対するフィードバック情報を一度に確認することができ、当該コンテンツに対する閲覧と関連した統計資料を一度に確認することができる。
【００７３】
課金処理部３２７は、本発明の実施形態によるコンテンツ多重送信が広告などの手段として利用されることができるため、当該機能を有料で提供するか、予め設定された数のチャットルームまたはユーザ数以上に多重送信する場合、課金できるように処理することができる。
【００７４】
一方、メッセンジャーサーバ２１０の各々の構成要素は機能および論理的に分離できることを表すために個別に図面に示したものであり、物理的に必ずしも別の構成要素や別のコードとして実現されることを意味するものではない。
【００７５】
また、本明細書において、各機能部（またはモジュール）とは、本発明の技術的思想を遂行するためのハードウェアおよびハードウェアを駆動するためのソフトウェアの機能的、構造的な結合を意味することができる。例えば、上記の各機能部は所定のコードと、所定のコードが遂行されるためのハードウェアリソースの論理的な単位を意味することができ、必ずしも物理的に接続されたコードを意味したり、１種類のハードウェアを意味したりするものではないことは、本発明の技術分野の平均的な専門家にとっては容易に推論することができるであろう。
【００７６】
また、本明細書において、データベースとは、各々のデータベースに対応する情報を格納するソフトウェアおよびハードウェアの機能的／構造的な結合を意味することができる。データベースは、データベースに対応する情報を格納できる全てのデータ格納媒体およびデータ構造を含む。
【００７７】
［メッセンジャーチャットウィンドウを介したコンテンツ多重送信方法］
図４は、本発明の実施形態によるメッセンジャーチャットウィンドウを介したコンテンツ多重送信の手順を示すフローチャートである。図４を参照すれば、本発明の実施形態により、先ず、ユーザ端末２２０でメッセンジャーサーバ２１０に接続し、ログイン（Ｓ４０１）する。次に、新しいチャットルームを開設するか、開設されたチャットルームに参加（Ｓ４０２）することによってチャットを行う。このとき、一般的なメッセンジャー機能のように、友達として登録されているユーザを選択してチャットウィンドウを生成することによってチャットルームを開設することもできる。チャットルームは１：１チャットを行うこともでき、複数のユーザを参加させて３人以上を構成員にしてチャットを行うこともできる。
【００７８】
一方、本発明の実施形態により、ユーザ端末２２０においてメッセンジャーに付加された機能を利用してコンテンツの多重送信機能を実行すれば、コンテンツを複数のチャットルームに多重送信することができる。したがって、多重送信するコンテンツ（例えば、リアルタイム放送、イメージ、テキスト、動画など）を選択（Ｓ４０３）した後、多重送信を要請するユーザが、参加した全てのチャットルームにコンテンツを多重送信しようとする場合（Ｓ４０４）、選択されたコンテンツに対して多重送信を要請すれば、ユーザが参加したチャットルームに、選択されたコンテンツを一度に送信処理する。これにより、ユーザが参加したチャットルームに参加した全ての構成員のユーザ端末２４０に、選択したコンテンツが一度に送信される。
【００７９】
一方、本発明の他の実施形態により、ユーザが参加した全体チャットルームに送信するのではなく、ユーザが送信するチャットルームを選択して送信しようとする場合、ユーザは自身が参加した複数のチャットルームのうちコンテンツを多重送信する少なくとも１つのチャットルームを選択（Ｓ４０６）する。次に、選択されたチャットルームへの多重送信を要請すれば、選択されたチャットルームに参加した全構成員のユーザ端末２４０に選択したコンテンツが多重送信処理（Ｓ４０７）される。
【００８０】
一方、本発明の一実施形態による方法は、様々なコンピュータ手段を介して行われることのできるプログラム命令形態として実現され、コンピュータ読み取り可能な媒体に記録されることができる。コンピュータ読み取り可能な媒体は、プログラム命令、データファイル、データ構造などを単独でまたは組み合わせて含むことができる。媒体に記録されるプログラム命令は本発明のために特別に設計して構成されたものであるか、コンピュータソフトウェアの当業者に公知されて使用可能なものであっても良い。コンピュータ読み取り可能な記録媒体の例には、ハードディスク、フロッピーディスク（登録商標）および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納し遂行するように特別に構成されたハードウェア装置が含まれる。プログラム命令の例には、コンパイラによって作られるような機械語コードだけでなく、インタープリターなどを用いてコンピュータによって実行できる高級言語コードを含む。上記のハードウェア装置は本発明の動作を行うために１つ以上のソフトウェアモジュールとして作動するように構成されることができ、その逆も同様である。
【００８１】
［実施形態］
図５は、本発明の実施形態によるメッセンジャーチャットウィンドウを介したコンテンツ多重送信例を示す図である。図５を参照すれば、本発明の実施形態により、スマートフォン５００などでモバイルメッセンジャーを実行させ、チャットルームにおいて多重送信するコンテンツとしてリアルタイム放送を選択して多重送信を要請することにより、図示したようにユーザが参加している全てのチャットルーム５１０の画面の上段にリアルタイム放送画面ボード５１１が生成される。このように、リアルタイム放送の実行により、全体のチャットウィンドウ領域はリアルタイム放送領域とチャットメッセージ表示領域５２０に区分して構成されることができる。このとき、上述したように、多重送信されるコンテンツは、多重送信されたコンテンツであることを知らせるタグ５１２（例えば、「選択した４個のチャットルームに同時に送信中」と表示）がさらに表示されることにより、ユーザは当該コンテンツが多重送信されたコンテンツであることを知ることができる。
【００８２】
本発明は、特定機能およびその関係の性能を示す方法ステップの目的をもって上記で説明された。このような機能的な構成要素および方法ステップの境界および順序は説明の便宜のためにここでは任意に定義された。前記特定機能および関係が適切に遂行される限り、代案的な境界および順序が定義されても良い。したがって、任意のこのような代案的な境界および順序は前記請求された発明の範囲および思想内にある。さらに、このような機能的な構成要素の境界は説明の便宜のために任意に定義された。或る重要な機能が適切に遂行される限り、代案的な境界が定義されても良い。同じように、フローチャートブロックも或る重要な機能性を示すためにここでは任意に定義されていても良い。拡張された使用のために前記フローチャートブロックの境界および順序は定義されていても良く、依然として或る重要な機能を果たす。したがって、機能的な構成要素およびフローチャートブロックおよび順序の２つともの代案的な定義は請求された本発明の範囲および思想内にある。
【００８３】
また、本発明は、１つ以上の実施形態の用語で、少なくとも部分的に説明されていても良い。本発明の実施形態は、本発明、その側面、その特徴、その概念、および／またはその例を示すために用いられる。本発明を実現する装置、製造のもの、マシーン、および／またはプロセスの物理的な実施形態は、ここに説明された１つ以上の実施形態を参照して説明された１つ以上の側面、特徴、概念、例などを含むことができる。さらに、全図面において、実施形態は前記同一のまたは異なる参照番号を使用できる前記同一にまたは類似するように命名された機能、ステップ、モジュールなどを統合することができ、それと共に、前記機能、ステップ、モジュールなどは前記同一のまたは類似の機能、ステップ、モジュールなどまたは異なるものであっても良い。
【００８４】
以上、本発明を具体的な構成要素などのような特定事項と限定された実施形態及び図面を参照して説明したが、これは本発明のより全体的な理解を容易にするために提供されたものにすぎず、本発明は前記実施形態によって限定されず、本発明が属する分野で通常的な知識を有した者であれば、このような記載から多様な修正及び変形が可能である。
【００８５】
従って、本発明の思想は前記実施形態に限定されるものではなく、添付する特許請求の範囲だけでなく、特許請求の範囲と均等または等価的に変形された全ては、本発明の思想の範疇に属するとするべきであろう。
【符号の説明】
【００８６】
１２０  ・・・通信ネットワーク
２１０  ・・・メッセンジャーサーバ
２２０、２４０  ・・・ユーザ端末
３１０  ・・・メッセンジャー処理モジュール
３１１  ・・・ログイン処理部
３１２  ・・・チャットウィンドウ生成部
３１３  ・・・チャットルーム管理部
３１４  ・・・チャットメッセージ送信部
３２０  ・・・多重送信モジュール
３２１  ・・・送信対象選択部
３２２  ・・・チャットルーム選択部
３２３  ・・・多重送信処理部
３２４  ・・・タグ挿入部
３２５  ・・・フィードバック処理部
３２６  ・・・統計処理部
３２７  ・・・課金処理部
３３０  ・・・会員情報データベース
３４０  ・・・チャット情報データベース
３５０  ・・・チャットルーム情報データベース
３６０  ・・・フィードバック情報データベース
３７０  ・・・統計情報データベース
【図１】
2014146332.tif 000003
【図２】
2014146332.tif 000004
【図３】
2014146332.tif 000005
【図４】
2014146332.tif 000006
【図５】
2014146332.tif 000007